(57)【要約】      （修正有）【課題】ＬＥＤ光源の温度を速やかに下げ、より優れた放熱効率を求め、燈具の寿命を向上できるＬＥＤ街燈を提供する。【解決手段】ＬＥＤ街燈は、上蓋１０と下蓋１１とから構成された中空の燈殻１と、回路基板及び複数個のＬＥＤランプと結合されている棒状ランプソケット２０からなるソケットグループ２と、通気性カバーとを備え、ソケットグループ２の各棒状ランプソケット２０のより広い受熱面を、上蓋１０と下蓋１１とから構成された中空の燈殻１中の底部に接着し、棒状ランプソケット２０上の各ＬＥＤランプを燈殻１の外部に凸出させ、通気性カバーで燈殻１の開口を封じることによって燈具の本体を構成する。ＬＥＤランプから出力された熱量は、アルミ合金製の棒状ランプソケット２０の高い熱伝達性によって、燈殻１内の空間又は燈殻１の外側へ拡散する。【選択図】図１
0003148133.tif 000002
【実用新案登録請求の範囲】
【請求項１】
放熱機能を備えるＬＥＤ街燈であって、
上蓋、及び、複数の孔が開設されている下蓋から構成され、中空構造を有する燈殻と、
前記燈殻の内部底面に直接に接着され、隔温空間を有する棒状ランプソケット、該棒状ランプソケットの溝孔に植設されているＬＥＤランプ基座、及び、前記隔温空間内に横設されている回路基板から構成されるソケットグループと、
前記燈殻の開口を封じ、通気性材質から構成される通気性カバーと、
を備えることを特徴とするＬＥＤ街燈。
【請求項２】
前記下蓋の断面を弧面とすることを特徴とする請求項１に記載のＬＥＤ街燈。
【請求項３】
前記ＬＥＤランプ基座の底部直径はより大きくて、棒状ランプソケットの受熱面に当接することを特徴とする請求項１に記載のＬＥＤ街燈。
【請求項４】
前記棒状ランプソケットが前記下蓋の内面と接着する受熱面は、前記下蓋の内面の弧面と一致することを特徴とする請求項１に記載のＬＥＤ街燈。
【請求項５】
前記棒状ランプソケット内部に横設されている前記回路基板は、ＰＷＭ周波数調整回路と、ＰＲＥ．ＡＭＰ回路と、時間パルス発生装置と、時間パルス拡大高低通電回路と、定時制御回路と、時間パルス出力回路とを備えることを特徴とする請求項１に記載のＬＥＤ街燈。
【請求項６】
前記棒状ランプソケットの底面部は頂面部より広いことを特徴とする請求項１に記載のＬＥＤ街燈。
【考案の詳細な説明】
【技術分野】
【０００１】
本考案は街燈の高温を有効的に下げ、光度を調整し、定時に点灯できるＬＥＤ街燈の放熱構造に関する。
【背景技術】
【０００２】
ＬＥＤランプは省エネ、高光度、長寿命などのメリットがあるため、水銀ランプを発光ユニットとする従来の街燈に存在する問題を解決できる。しかし、ＬＥＤランプは放熱性が悪いため、生じた高温によって燈具の回路基板が過熱すること及び燈具が壊れることをもたらす。このため、放熱モジュールを設け、ＬＥＤランプから生じた熱を拡散し、ＬＥＤランプが低温で発光させることによって、ＬＥＤランプの寿命を向上させる。
【０００３】
従来のＬＥＤ照明設備の放熱及び降温の問題を解決するために、一般的に、補助ファンを設置して強制的な対流によって放熱する方法と、高伝熱材料によって熱伝導する方法とが使用されている。補助ファンを設置して強制的な対流によって放熱するには、通風孔の配置が必要である。しかし、街燈は室外に長期間暴露されるため、密封性、防水性、防露性及び放熱性などの面で、普通の室内の照明器具より高く要求されている。このため、上述された熱伝導の放熱方法や、対流によって放熱する方法はいずれも室外照明設備（街燈）に適用できない。
【考案の開示】
【考案が解決しようとする課題】
【０００４】
本考案の主な目的は、ＬＥＤ光源の温度を速やかに下げ、より優れた放熱効率を求め、燈具の寿命が向上できる街燈を提供することである。
本考案の次の目的は、ＬＥＤランプの光度を調整し、定時に点灯できるＬＥＤ街燈及び放熱構造を提供することである。
本考案のさらに別の目的は、ＬＥＤランプを弧線状で配置することによって照明角度を広げ、より優れた照明光度が得られる街燈を提供することである。
【課題を解決するための手段】
【０００５】
上述した目的を達成するために、本考案によるＬＥＤ街燈及びその放熱構造は、上蓋と下蓋とから構成された中空の燈殻と、回路基板及び複数個のＬＥＤランプと結合されている棒状ランプソケットからなるソケットグループと、通気性カバーとを備える。ソケットグループの各棒状ランプソケットのより広い受熱面を、上蓋と下蓋とから構成された中空の燈殻中の底部に接着し、棒状ランプソケット上の各ＬＥＤランプを燈殻の外部に凸出させ、通気性カバーで燈殻の開口を封じることによって燈具の本体を構成する。ＬＥＤランプから出力された熱量は、アルミ合金製の棒状ランプソケットの高い熱伝達性によって、燈殻内の空間又は燈殻外側へ伝達される。外側に伝達された熱量は外側の空気の対流によって拡散され、燈殻内の空間に伝達された熱量は、熱い空気が上昇し、冷たい空気が降下する現象によって、速やかに燈殻の頂端にある通気性カバーへ流れ、通気性カバーにより燈殻の外側へ拡散する。これで、燈殻の内部温度が下がって、ＬＥＤランプがより低い温度環境で発光できるため、ＬＥＤランプが保護される。
【考案を実施するための最良の形態】
【０００６】
本考案の一実施形態による街燈は、燈殻１と、ソケットグループ２と、通気性カバー３とから構成される。燈殻１の分解図は図１に示されている。燈殻１はアルミ合金製の上蓋１０と、下蓋１１とを備え、上蓋１０の後端には連結管１０４が固接されている。この連結管１０４を介して燈殻１は街燈柱４と連結する。上蓋１０の頂面１００は円弧状に形成されており、上蓋１０の本体には複数個の補強用突条１３が形成されていることによって強度が上がる。又、上蓋の頂面１００の両端側には連結壁面１０１、１０２が下方向に延出され、連結壁面１０１、１０２には螺子１０６を通す螺子穴１０３が複数個形成されている。上蓋１０の前端には固定用の固定穴１０５が複数個形成されている。
【０００７】
下蓋１１は弧形板１２によって形成され、弧形板１２の両端には固着板１２０、１２１が上方向に延設されている。固着板１２０、１２１には、上蓋１０の連結壁面１０１、１０２上の螺子穴と数及び位置が対応付けられている螺子穴１２２、１２３が形成されている。弧形板１２の弧面には複数個の透孔１５を有し、外縁端の近くにある透孔１５の前には複数個の螺子穴１４を有する。ソケットグループ２はこの螺子穴１４を通す螺子１４０によって直接に下蓋１１の弧形板１２の内面に接着されている。これで、ソケットグループ２に設けられているＬＥＤ２３０は、弧形板１２の弧面に沿って透孔１５の外側に凸出し、異なる照明角度で照明できる。
【０００８】
次に、図１を参照しながら燈殻１の組み立てについて説明する。まず、上蓋１０両端の連結壁面１０１、１０２と、下蓋１１の弧形板１２の固着板１２０、１２１とを合わせる。次に、固着板１２０、１２１上の螺子穴１２２、１２３と、上蓋１０の連結壁面１０１、１０２上の螺子穴１０３を重合させ、螺子１０６で固着板１２０、１２１と、連結壁面１０１、１０２とを締結する。これで、中空の殻体を形成し、殻体の内面底部に接着したソケットグループ２に設けられるＬＥＤランプ熱源の介質層となる。
【０００９】
ソケットグループ２は複数個の棒状ランプソケット２０と、複数個のＬＥＤランプ基座２３と、ＬＥＤランプ基座２３と同じ数の拡散基座２４と、棒状ランプソケット２０中に設けられている回路基板５とを備える。
【００１０】
棒状ランプソケット２０の本体は、図１及び図２に示すように、台形の棒となっており、幅が若干広い頂面２０４上には下蓋１１の螺子穴１４に対応付けられている螺子穴２０３が設けられている。棒状ランプソケット２０の本体の側面には長手方向の螺子溝２００、２０１が設けられている。又棒状ランプソケット２０の頂面２０４の幅が若干狭い反対側には棒状ランプソケット２０を長手方向に貫通する隔温空間２１が形成されている。隔温空間２１の内部は長手方向に沿って溝２０２を備え、頂面２０４に垂直して形成されている異なる孔径を有する溝孔２２と貫通されている。
【００１１】
溝孔２２の孔径のより小さいところには基座本体及びＬＥＤランプ２３０を含むＬＥＤランプ基座２３が植設されている。基座本体の下端は幅が広い受熱面を備え、棒状ランプソケット２０に直接当接する。ＬＥＤランプのプラダは、隔温空間２１内の溝２０２に横設されている回路基板５に延伸して挿設する。溝孔２２の孔径のより大きいところには螺溝２２０が形成されており、拡散基座２４は接合端にある螺歯２４０によって溝孔２２に直接に螺合される。これで、溝孔２２が密閉され、拡散基座２４に結合されている拡散レンズ２４１によってＬＥＤランプの光が屈折されて照明する。
【００１２】
回路基板５は、図３に示すように、棒状ランプソケット２０の頂面２０４の幅が若干狭い反対側に形成されている隔温空間２１内の溝２０２中に横設され、ＰＷＭ周波数調整回路５０と、ＰＲＥ．ＡＭＰ回路５１と、時間パルス発生装置５２と、時間パルス拡大高低通電回路５３と、定時制御回路５４と、時間パルス出力回路５５とを備える。ＰＷＭ周波数調整回路５０は環境の変化によってＬＥＤランプ２３０の光度を調整し、定時制御回路５４は照明の時間帯を調整し、時間パルス生成器５２と時間パルス拡大高低通電回路５３は自動定時照明又は手動定時照明を制御する。
【００１３】
棒状ランプソケット２０は、図４に示すように、ＬＥＤランプ基座２３が棒状ランプソケット２０内に結合し、拡散基座２４の拡散レンズ２４１で蓋付けることによってＬＥＤランプ２３０が保護されるようにする。回路基板５は、棒状ランプソケット２０の溝２０２中に横設され、棒状ランプソケット２０の外端は、封蓋２０５、２０６と螺子溝（２００）２０１を通す螺子２０７によって封じられる。これで、棒状ランプソケット２０の本体が完成する。
【００１４】
燈殻１及びソケットグループ２の組み立てが完成した後、図５に示すように、生じた開け口を通気性カバー３で直接封じる。この通気性カバー３は通気性材質（耐熱性プラスチック）からなり、通気性カバー３の開け口側の周縁には複数個の延長部３０が形成されている。延長部３０の上には複数個の螺子孔３００が形成され、この螺子孔３００を通す螺子１０７によって燈殻１及び通気性カバー３が一体となり、開口が封じられ、燈具の主体が完成する（図６を参照）。最後に、套管１０４を用いて燈具の主体を街燈柱４の上に固着し、特定の傾角を有する街燈が構成される。
【００１５】
街燈が点灯するとき、図７、８、９に示すように、ＬＥＤランプ２３０が発光して生じた熱量は、ＬＥＤランプ基座２３のより広い受熱面によって集熱し、アルミ合金製の棒状ランプソケット２０に伝導する。棒状ランプソケット２０の高熱伝導性と、熱空気が上昇する現象及び棒状ランプソケット２０から下蓋１１への熱伝導作用によって、熱量を燈殻の内部空間及び燈殻１の外へ拡散する（図８を参照）。外へ拡散された熱は冷空気によって速やかに拡散し、燈殻の内部空間に溜まった熱は通気性カバー３による外内の空気対流によって外側へ拡散する。また、本願発明の燈殻１の内部空間に溜まった熱は、熱空気が上昇し冷空気が下降する対流現象によって、快速的に燈殻１の頂端へ移し、燈殻１の頂端にある通気性カバー３を通して外側へ拡散する（図９を参照）。これで、燈殻内のＬＥＤランプは温度がより低い環境で発光し、保護される。
【図面の簡単な説明】
【００１６】
【図１】本考案の一実施形態による燈殻の立体分解図である。
【図２】本考案の一実施形態による棒状ランプソケットの一部断面図である。
【図３】本考案の一実施形態による回路ブロック図である。
【図４】本考案の一実施形態による棒状ランプソケットの立体結合図である。
【図５】本考案の一実施形態による燈殻の組み立て説明図である。
【図６】本考案の一実施形態による燈具の組み立て完成図である。
【図７】本考案の一実施形態による棒状ランプソケットの熱伝導説明図である。
【図８】本考案の一実施形態による棒状ランプソケットの放熱説明図である。
【図９】本考案の一実施形態による燈殻の放熱説明図である。
【符号の説明】
【００１７】
１：燈殻、２：ソケットグループ、３：通気性カバー、４：街燈柱、５：回路基板、１０：上蓋、１１：下蓋、１２：弧形板、１３：突条、１４：螺子穴、１５：透孔、２０：棒状ランプソケット、２１：隔温空間、２２：溝孔、２３：ＬＥＤランプ基座、２４：拡散基座、３０：延長部、５０：ＰＷＭ周波数調整回路、５１：ＰＲＥ．ＡＭＰ回路、５２：タイムパルス発生装置、５３：時間パルス拡大高低通電回路、５４：定時制御回路、５５：時間パルス出力回路、１００：頂面、１０１：連結壁面、１０２：連結壁面、１０３：螺子穴、１０４：連結管、１０５：固定穴、１０６：螺子、１０７：螺子、１２０：固着板、１２１：固着板、１２２：螺子穴、１２３：螺子穴、１４０：螺子、２００：螺子溝、２０１：螺子溝、２０２：溝、２０３：螺子穴、２０４：頂面、２０５：封蓋、２０６：封蓋、２２０：螺溝、２３０：ＬＥＤランプ、２４０：螺歯、２４１：拡散レンズ、３００：螺子孔、
【図１】
0003148133.tif 000003
【図２】
0003148133.tif 000004
【図３】
0003148133.tif 000005
【図４】
0003148133.tif 000006
【図５】
0003148133.tif 000007
【図６】
0003148133.tif 000008
【図７】
0003148133.tif 000009
【図８】
0003148133.tif 000010
【図９】
0003148133.tif 000011